(57)【要約】      （修正有）【課題】少ないスキャナの駆動回数で赤目補正ができ、かつ補正箇所に位置ずれを生じず、しかも少ないメモリ資源で前記赤目補正をする。【解決手段】画像読取手段２２１と、所定ライン数のＲＧＢ画像データを記憶する一時記憶手段と、赤目検出手段２２６と、赤目領域記憶手段と、画像読取手段により読み取ったＲＧＢ画像データをＹＣＣ画像に変換するＲＧＢ／ＹＣＣ変換手段２２２と、ＲＧＢ／ＹＣＣ変換手段により変換したＹＣＣ画像をＪＰＥＧ画像として画像記憶装置に記憶するＹＣＣ画像記憶手段２２３と、前記ＪＰＥＧ画像についてのＹＣＣ画像を呼び出し、これをＲＧＢ画像データに変換するＹＣＣ／ＲＧＢ変換手段２２４と、ＲＧＢ画像データにかかる画像に赤目補正を行う赤目補正手段２２８と、赤目補正後の印刷データを作成して前記印刷機構に転送する印刷データ作成手段２２９とを含む。【選択図】図２
2008113086.tif 000002
【特許請求の範囲】
【請求項１】
原稿画像を読み取って印刷するイメージスキャナ付き印刷装置において、
前記読み取った原稿画像の画像データを記憶する画像記憶処理手段と、
前記画像データの１回目の呼び出し操作において、所定ライン数の画像データにかかる画像に含まれる赤目を検出する赤目検出手段と、
前記画像データの２回目の呼び出し操作において、呼び出した画像データにかかる画像に赤目領域が含まれるときは、前記画像データについて赤目補正を行う赤目補正手段と、
前記画像データから印刷データを作成するに際して、前記赤目補正がなされた画像データについては当該赤目補正がされた画像データから印刷データを作成する印刷データ作成手段と、
を備えたことを特徴とするイメージスキャナ付き印刷装置。
【請求項２】
前記画像記憶手段により記憶された画像データがＲＧＢ画像データであることを特徴とする請求項１に記載のイメージスキャナ付き印刷装置。
【請求項３】
前記画像記憶手段により記憶された画像データがＹＣＣ画像データであることを特徴とする請求項３に記載のイメージスキャナ付き印刷装置。
【発明の詳細な説明】
【技術分野】
【０００１】
本発明は、スキャナで読み取った画像に赤目補正をして印刷することができるイメージスキャナ付き印刷装置に関し、少ないスキャナの駆動回数で赤目補正ができ、かつ補正箇所に位置ずれを生じない前記印刷装置に関する。
【０００２】
近年、コンピュータに接続することなく駆動できるプリンタ（スタンドアロンプリンタ）が普及するようになっている。この種のプリンタは、通常、デジタルカメラ用のメモリカードを装着できるスロットを有しており、更にイメージスキャナを搭載したもの（スキャナ付きスタンドアロンプリンタ）も市販されるようになっている。
【０００３】
スタンドアロンプリンタには、メモリカードに記憶された画像（ＪＰＥＧ画像，ＲＧＢ画像）を印刷する際に、赤目の補正を行うことができるものがある。
【０００４】
赤目は、暗所で人物をフラッシュ撮影した場合に、瞳孔を通して網膜の赤色（あるいは金色）が感光されてしまう現象である。スキャナにコンピュータが接続されている場合には、スキャナにより読み取った人物画像に赤目が表れている場合には、コンピュータ側の赤目補正ソフトにより赤目補正を行うことができる。
【０００５】
赤目補正に際しては、赤目領域を検出するとともに、赤目の色補正を行わなければならない。このためには、プリントに先立って、画像中の人物の顔を認識して目の位置を特定するとともに、赤目現象が生じている否かを判定し、赤目現象が生じているときにはその位置を記録する。そして、プリントデータを赤目部分を黒色等に置き換えてプリントを行う。
【発明の開示】
【発明が解決しようとする課題】
【０００６】
ところで、赤目補正をスキャナ付きスタンドアロンプリンタで行う場合、１回目のスキャンで赤目の位置検出を行い、２回目のスキャンで赤目の位置検出情報を参照して赤目補正を行い、赤目補正後のデータをプリント機構に転送することになる。
【０００７】
しかし、２回のスキャンを行った場合、スキャナの機械誤差等に起因して、１回目のスキャンで検出した赤目領域と、２回目のスキャンで読み取った画像上の赤目領域とが異なってしまうことがある。その結果、赤目補正が正しくなされず、赤目でない部分を黒色等で置き換えてしまうといった問題が生じる。このようなことから、従来では、スキャナ付きスタンドアロンプリンタでは、スキャナで読み取った画像について赤目補正を行うことは行われていない。
【０００８】
本発明の目的は、少ないスキャナの駆動回数で赤目補正ができ、かつ赤目補正箇所に位置ずれが生じないイメージスキャナ付き印刷装置を提供することにある。
【課題を解決するための手段】
【０００９】
本発明のイメージスキャナ付き印刷装置は、原稿画像を読み取って印刷するものであって、
前記読み取った原稿画像の画像データを記憶する画像記憶処理手段と、
前記画像データの１回目の呼び出し操作において、所定ライン数の画像データにかかる画像に含まれる赤目を検出する赤目検出手段と、
前記画像データの２回目の呼び出し操作において、呼び出した画像データにかかる画像に赤目領域が含まれるときは、前記画像データについて赤目補正を行う赤目補正手段と、
前記画像データから印刷データを作成するに際して、前記赤目補正がなされた画像データについては当該赤目補正がされた画像データから印刷データを作成する印刷データ作成手段と、
を備えたことを特徴とする。
【００１０】
本発明のイメージスキャナ付き印刷装置では、前記画像記憶手段により記憶された画像データはＲＧＢ画像データであってもよいし、ＹＣＣ画像データであってもよい。
【発明の効果】
【００１１】
本発明のイメージスキャナ付き印刷装置では、原稿画像の読み取り、画像データをメモリに格納した後に、当該メモリから２回のデータ呼び出しを行い、１回目の呼び出しにおいて赤目検出を行い、２回目の呼び出しにおいて赤目補正を行うようにした。
【００１２】
したがって、スキャナの駆動回数を減らすことができ、かつ位置ずれがしない赤目補正ができるようになった。本発明は、コンピュータが必ずしも接続されないスタンドアロンプリンタに適用する場合に有効である。
【発明を実施するための最良の形態】
【００１３】
図１は本発明のイメージスキャナ付き印刷装置の一実施形態を示す説明図である。図１において、イメージスキャナ付き印刷装置１は、原稿画像ＯＧを読み取るスキャナ機構１１０と、印刷を行う印刷機構１２０とを備え、さらに画像読取手段１１と、ＲＧＢ画像記憶手段１３と、ＲＧＢ画像データ呼出し手段１４と、画像データ一時記憶手段１５と、赤目検出手段１６と、赤目領域記憶処理手段１７と、赤目補正手段１８と、印刷データ作成手段１９とを含んで構成されている。
【００１４】
画像読取手段１１は、スキャナ機構１１０を駆動し、スキャナ機構１１０が読み取った原稿画像ＯＧのＲＧＢ画像データＬＤRGBを取得する。
【００１５】
ＹＣＣ画像記憶手段２３は、ＲＧＢ画像データＬＤRGBを順次蓄積して、ＪＰＥＧ画像として画像記憶装置（本実施形態では画像メモリＧＭ）に記憶する。
【００１６】
ＲＧＢ画像データ呼出し手段１４は、画像メモリＧＭに記憶されたＲＧＢ画像ＧRGBについて、１ラインごとまたは所定ライン数ごと、あるいは処理ユニットごとにＲＧＢ画像データＬＤRGBを呼び出す操作を合計で２回行う。
【００１７】
画像データ一時記憶手段１５は、ＲＧＢ画像データ呼出し手段１４により呼び出された所定ライン数のＲＧＢ画像データＬＤRGBを、ラインデータ記憶装置（本実施形態ではラインバッファＬＢ）に記憶する。
【００１８】
赤目検出手段１６は、ラインバッファＬＢに記憶されたＲＧＢ画像データＬＤRGBにかかる画像に含まれる赤目を検出する。
赤目検出に際しては、展開イメージに含まれるオブジェクトを抽出し、図示しない記憶装置（ＲＯＭ）に記憶してある、目の形状パターン、目の周囲の形状パターン、あるいは顔パターンと比較する。赤目検出手段１６は、１６ライン、３２ライン等、搭載メモリの容量や搭載プロセッサの処理能力に応じて適宜のライン数の画像をイメージに展開することができ、この展開したイメージ画像から赤目を検出することができる。図３（Ａ）に示した原稿画像の１６ライン数の画像をイメージに展開した様子を図３（Ｂ）に示し、３２ライン数の画像をイメージに展開した様子を図３（Ｃ）に示す。
【００１９】
赤目検出手段１６により赤目が検出されたときは、赤目領域記憶処理手段１７は、赤目テーブルＴＢＬREをその赤目の位置に記憶する。赤目テーブルＴＢＬREには、図４に示すように、赤目ナンバ、赤目中心、赤目径等が登録される。
【００２０】
赤目補正手段１８は、ＲＧＢ画像データ呼出し手段１４の２回目の呼び出しにおいて、呼び出したＲＧＢ画像データＬＤRGBにかかる画像中に赤目テーブルＴＢＬREに記憶した赤目領域が含まれるか否かを検出し、ＲＧＢ画像データについて赤目補正を行う。赤目補正は、赤目領域の画素色を黒色等に置き換えることにより行われる。図１では、補正後のＲＧＢ画像データをＬＤRGB′で示す。
【００２１】
印刷データ作成手段１９は、ＲＧＢ画像データ呼出し手段１４の１回目の呼び出しにおいて、呼び出したＲＧＢ画像データＬＤRGBのうち、（１）赤目補正手段１８により赤目補正がなされていないＲＧＢ画像データについては当該ＲＧＢ画像データから印刷データＰＤを作成し、（２）赤目補正手段１８により赤目補正がなされたＲＧＢ画像データＬＤRGB′については当該ＲＧＢ画像データＬＤRGB′から印刷データＰＤを作成し、これらの印刷データＰＤを印刷機構１２０に転送する。
【００２２】
図２は本発明のイメージスキャナ付き印刷装置の他の実施形態を示す説明図である。図２において、イメージスキャナ付き印刷装置１は、原稿画像ＯＧを読み取るスキャナ機構１１０と、印刷を行う印刷機構１２０とを備え、画像読取手段２１と、ＲＧＢ／ＹＣＣ変換手段２２と、ＹＣＣ画像記憶手段２３と、ＹＣＣ／ＲＧＢ変換手段２４と、画像データ一時記憶手段２５と、赤目検出手段２６と、赤目領域記憶処理手段２７と、赤目補正手段２８と、印刷データ作成手段２９とを含む。
【００２３】
画像読取手段２１は、図１の画像読取手段２１と同じであり、スキャナ機構１１０を駆動し、スキャナ機構１１０は原稿画像ＯＧを読み取り、スキャナ機構１１０からＲＧＢ画像データＬＤRGBを取得する。
ＲＧＢ／ＹＣＣ変換手段２２は、画像読取手段２１による読み取りに際して、所定ライン数のＲＧＢ画像データをＹＣＣ画像に変換する。たとえば、ＲＧＢ画像データＬＤRGBについて８ラインずつＤＣＴ変換、量子化、ハフマン符号化が行われ、ＹＣＣ画像ＬＤYCCが作成される。
ＹＣＣ画像記憶手段２３は、ＲＧＢ／ＹＣＣ変換手段２２により変換されたＹＣＣ画像ＬＤYCCを順次蓄積して、ＪＰＥＧ画像として画像記憶装置（本実施形態では画像メモリＧＭ）に記憶する。
【００２４】
ＹＣＣ／ＲＧＢ変換手段２４は、画像メモリＧＭに記憶されたＪＰＥＧ画像ＧJPGについて１ラインごとまたは所定ライン数ごと、あるいは処理ユニットごとにＹＣＣ画像ＬＤYCCを呼び出しＲＧＢ画像データＬＤRGBに変換する操作を合計で２回行う。
【００２５】
画像データ一時記憶手段２５は、ＹＣＣ／ＲＧＢ変換手段２４の１回目の操作において所定ライン数のＲＧＢ画像データＬＤRGBを、ラインデータ記憶装置に記憶する。
赤目検出手段２６は、ラインバッファＬＢに記憶されたＲＧＢ画像データＬＤRGBにかかる画像に含まれる赤目を検出する。
【００２６】
赤目検出に際しては、展開イメージに含まれるオブジェクトを抽出し、図示しない記憶装置（ＲＯＭ）に記憶してある、目の形状パターン、目の周囲の形状パターン、あるいは顔パターンと比較する。
赤目検出手段２６は、１６ライン、２４ライン等、搭載メモリの容量や搭載プロセッサの処理能力に応じて適宜のライン数の画像をイメージに展開することができ、この展開したイメージ画像から赤目を検出することができる。本実施形態でも、展開するイメージ画像のライン数は適宜定めることができ、たとえば、図３（Ｂ）に示したように１６ライン数の画像をイメージに展開することもできる、図３（Ｃ）に示したように３２ライン数の画像をイメージに展開することもできる。
【００２７】
赤目領域記憶処理手段２７は、赤目検出手段２６により赤目が検出されたときは、赤目テーブルＴＢＬREをその赤目の位置に記憶する。この場合の赤目テーブルＴＢＬREには、図１の実施例で説明したように、図４に示すように、赤目ナンバ、赤目中心、赤目径等が登録される。
【００２８】
赤目補正手段２８は、画像データ呼び出し手段１４の２回目の操作において、呼び出したＲＧＢ画像データＬＤRGBにかかる画像中に赤目テーブルＴＢＬREに記憶した赤目領域が含まれるか否かを検出し、ＲＧＢ画像データについて赤目補正を行う。赤目補正は、赤目領域の画素色を黒色等に置き換えることにより行われる。図２では、補正後のＲＧＢ画像データをＬＤRGB′で示す。
【００２９】
印刷データ作成手段１９は、ＹＣＣ／ＲＧＢ変換手段１４の１回目の操作において、呼び出したＲＧＢ画像データＬＤRGBのうち、（１）赤目補正手段１８により赤目補正がなされていないＲＧＢ画像データについては当該ＲＧＢ画像データから印刷データＰＤを作成し、（２）赤目補正手段１８により赤目補正がなされたＲＧＢ画像データＬＤRGB′については当該ＲＧＢ画像データＬＤRGB′から印刷データＰＤを作成する。そして、これらの印刷データＰＤを印刷機構１２０に転送する。
【００３０】
まず、図５のフローチャートにより、イメージスキャナ付き印刷装置１の動作を詳細に説明する。
【００３１】
図５において、画像読取手段１１はスキャナ機構１１０に原稿画像ＯＧの読みを指示する。そして、スキャナ機構１１０により原稿画像ＯＧの読み取りが行われ（Ｓ１０１）、原稿画像ＯＧが全て読み取られ画像メモリＧＭに記憶される（Ｓ１０２）。
【００３２】
次に、画像メモリＧＭからＸライン数の原稿画像ＯＧを所定のメモリ（作業領域）にイメージに展開して赤目の検出を行う（Ｓ１０３）。Ｘライン数の画像に赤目が検出されたときは（Ｓ１０４の「ＹＥＳ」）、赤目領域情報をテーブルＴＢＬREに記憶する（Ｓ１０５）。赤目領域情報をテーブルＴＢＬREに記憶したとき、およびＳ１０４においてＸライン数の画像に赤目が含まれないときは（Ｓ１０４の「ＮＯ」）、原稿画像ＯＧの全ラインについてＳ１０３からＳ１０５の処理が終了したか否かを判断し、処理が終了していないとき（Ｓ１０６の「ＮＯ」）は処理をＳ１０３に戻す。処理が終了しているときには（Ｓ１０６の「ＹＥＳ」）、原稿画像ＯＧから１ラインを取り出し、１ライン内のデータについて、赤目テーブルＴＢＬREを参照して、赤目の有無、赤目領域を検出する（Ｓ１０７）。
【００３３】
１ライン内のデータに赤目領域が含まれているときは（Ｓ１０８の「ＹＥＳ」）、赤目領域のデータを黒色等のデータに置き換える（Ｓ１０８）。
Ｓ１０８において、１ライン内のデータを黒色等のデータに置き換えたとき、または呼び出したラインに赤目領域が含まれていないとき（Ｓ１０８の「ＮＯ」）、は、印刷データＰＤを作成し（Ｓ１１０）、これを印刷機構に転送する（Ｓ１１１１）。
【００３４】
次に、図６のフローチャートにより、イメージスキャナ付き印刷装置２の動作を詳細に説明する。
図６において、画像読取手段２１はスキャナ機構１１０に原稿画像ＯＧの読みを指示する。
スキャナ機構１１０による読み取り開始に際しては、読み取ラインのポインタがｎ＝１にセットされる（Ｓ２０１）。
そして、ラインバッファＬＢに、ＲＧＢ画像データが１ラインずつ記憶され（Ｓ２０２，Ｓ２０３）、ｎは順次インクリメントされ（Ｓ２０４）、ラインバッファＬＢに８ラインのＲＧＢ画像データが記憶される（Ｓ２０５の「ＮＯ」）。これらのＲＧＢ画像データＬＤRGBはＹＣＣ画像ＬＤYCCに変換され（Ｓ２０６）、画像メモリＧＭに記憶される。図７にラインバッファＬＢに記憶されたＲＧＢ画像データＬＤRGBがＹＣＣ画像ＬＤYCCに変換されて画像メモリＧＭに記憶される様子を示す。
【００３５】
Ｓ２０１からＳ２０７までの処理（ＲＧＢ／ＹＣＣ変換）は、原稿画像ＯＧの全ラインについて行われる（Ｓ２０８の「ＮＯ」）。
全ラインについてのＲＧＢ／ＹＣＣ変換が終了し（Ｓ２０８の「ＹＥＳ」）、画像メモリＧＭにＪＰＥＧ画像ＧJPGが一画像として記憶されたときは、８×Ｙラインの所定のメモリ領域ＭＡが初期化され（Ｓ２０９）、８×Ｙライン単位でシフトするポインタＭが１にセットされる（Ｍ＝１）（Ｓ２１０）。次いで、ＪＰＥＧ画像ＧJPGの８ライン数のＹＣＣ画像ＬＤYCCがＲＧＢ画像データＬＤYCCに変換されてメモリ領域ＭＡに格納され（Ｓ２１１）、Ｍがインクリメントされ（Ｍ＝Ｍ＋１）（Ｓ２１２）、Ｓ２１１の処理がＭ＝Ｙとなるまで繰り返される（Ｓ２１３）。図８にＹ＝３の場合に、８×ＹラインのＲＧＢ画像データＬＤRGBがメモリ領域ＭＡに記憶された様子を示す。
【００３６】
次に、領域メモリＭＡの画像中に赤目あるかが検出され（Ｓ２１４）、赤目があるときは（Ｓ２１４の「ＹＥＳ」）、赤目領域情報がテーブルＴＢＬREに記憶される（Ｓ２１５）。赤目領域情報がテーブルＴＢＬREに記憶されたとき、およびＳ２１４において赤目がないと判断されたときは（Ｓ２１４の「ＮＯ」）、Ｓ１０９からＳ２１５までの処理が、ＪＰＥＧ画像ＧJPGの全ラインについて行われたか否かが判断される（Ｓ２１６）。ＪＰＥＧ画像ＧJPGの全ラインについて行われていないときは（Ｓ２１６の「ＮＯ」）、処理をＳ２０９に戻す。
【００３７】
赤目領域の検出は、上記の例では、８×ＹラインのＲＧＢ画像データＬＤRGBについて行ったが、図９（Ａ）に示すように、前回の赤目検出（Ｓ２１４）において使用したＲＧＢ画像データＬＤRGBのうち、最終８ライン数のデータをメモリ領域ＭＡの先端行（図面上ではメモリの最下段）に残しておくこともできる。この場合には、最終８ライン数のデータを上述した８×Ｙライン（図９（Ａ）ではＹ＝３）のＲＧＢ画像データＬＤRGBに足し合わせて赤目検出を行う。また、図９（Ｂ）に示すように、８×Ｙライン（図９（Ｂ）ではＹ＝３）のＹＣＣ画像ＬＤYCCを、ＲＧＢ画像データＬＤRGBに変換する際に、前回変換（前回のＳ２１１）したＹＣＣ画像ＬＤYCCの最後の８ラインを、今回変換（今回のＳ２１１）するＹＣＣ画像ＬＤYCCの最初の８ラインとすることができる。図９（Ａ），（Ｂ）のようにすることで、８ラインと８ラインの境界に赤目が存在するような場合でも正確に赤目を検出することができる。
【００３８】
Ｓ２０９からＳ２１４までの処理がＪＰＥＧ画像ＧJPGの全ラインについて行われたときは、８ライン数を記憶するラインバッファを初期化し（Ｓ２１７）、画像メモリＧＭから８ライン数のＹＣＣ画像ＬＤYCCを取り出しＲＧＢ画像データＬＤRGBに変換してラインバッファＬＢに記憶する（Ｓ２１８）。８ラインバッファに記憶したＲＧＢ画像データＬＤRGBにかかる画像に、赤目テーブルＴＢＬREに記憶した赤目領域が含まれるときは（Ｓ２１９の「ＹＥＳ」）、ＲＧＢ画像データＬＤRGBを黒色等のデータに置き換える（Ｓ２２０）。
図１０に、画像メモリＧＭに記憶されたＪＰＥＧ画像ＧJPGのＹＣＣ画像ＬＤYCCがＳ２１８において１ラインごとに呼び出され、Ｓ２２０においてＲＧＢ画像データＬＤRGBについて赤目の補正がされる様子を示す。
【００３９】
そして、印刷データ作成手段２９は、ＲＧＢ画像データＬＤRGBのうち、（１）赤目補正手段２８により赤目補正がなされていない（Ｓ２１９の「ＮＯ」）ＲＧＢ画像データＬＤRGBについては当該ＲＧＢ画像データから印刷データＰＤを作成し、（２）赤目補正手段２８により赤目補正がなされた（Ｓ２２０）ＲＧＢ画像データＬＤRGB′については、このＲＧＢ画像データＬＤRGB′から印刷データＰＤを作成し（Ｓ２２１）、これらの印刷データＰＤを印刷機構１２０に転送する（Ｓ２２２）。図３（Ｄ）に赤目補正がされた印刷画像ＯＧを示す。Ｓ２１７からＳ２２２の処理は、画像メモリＧＭに記憶されたＪＰＥＧ画像ＧJPGの、全ラインについて繰り返して行われ（Ｓ２２３の「ＮＯ」）、全ラインについて処理が終了したときに（Ｓ２２３の「ＹＥＳ」）、全ての処理が終了する。
【図面の簡単な説明】
【００４０】
【図１】本発明のイメージスキャナ付き印刷装置の一実施形態を示す説明図である。
【図２】本発明のイメージスキャナ付き印刷装置の一実施形態を示す説明図である。
【図３】（Ａ）は原稿画像上の１６ラインを示す図、（Ｂ）は１６ライン数の画像をイメージに展開した様子を示す図、（Ｃ）は１６ライン数の画像をイメージに展開した様子を示す図、。（Ｄ）は赤目補正がされた印刷画像を示す図である。
【図４】赤目テーブルを示す図である。
【図５】図１のイメージスキャナ付き印刷装置の動作を示すフローチャートである。
【図６】図２のイメージスキャナ付き印刷装置の動作を示すフローチャートである。
【図７】図６のフローチャートのＳ２０３，Ｓ２０６，Ｓ２０７における処理の補助説明図である。
【図８】図５のフローチャートのＳ２１１，Ｓ２１４における処理の補助説明図である。
【図９】（Ａ）は赤目検出を高精度で行うための処理の一例を示す説明図、（Ｂ）は赤目検出を高精度で行うための処理の他の例を示す説明図である。
【図１０】赤目補正のフローチャートのＳ２１９，Ｓ２２０における処理の補助説明図である。
【符号の説明】
【００４１】
１１，２１  画像読取手段
１３  ＲＧＢ画像記憶手段
１４  ＲＧＢ画像データ呼出し手段
１５，２５  画像データ一時記憶手段
１６，２６  赤目検出手段
１７，２７  赤目領域記憶処理手段
１８，２８  赤目補正手段
１９，２９  印刷データ作成手段
２２  ＲＧＢ／ＹＣＣ変換手段
２３  ＹＣＣ画像記憶手段
２４  ＹＣＣ／ＲＧＢ変換手段
１１０  スキャナ機構
１２０  印刷機構
ＯＧ  原稿画像
【図１】
2008113086.tif 000003
【図２】
2008113086.tif 000004
【図４】
2008113086.tif 000005
【図５】
2008113086.tif 000006
【図６】
2008113086.tif 000007
【図７】
2008113086.tif 000008
【図８】
2008113086.tif 000009
【図９】
2008113086.tif 000010
【図１０】
2008113086.tif 000011
【図３】
2008113086.tif 000012